(57)【要約】【課題】  本発明は、フラワースタンドの安定した立脚姿勢を常に維持できるようにすることにある。【解決手段】  複数本の支柱４の上部で、生花や造花を収納する花桶・花篭６を保持するフラワースタンド１であって、基台７の四隅部に調整用螺子ピン１２を螺合貫通設すると共に、基台７の周端部に、基台７に乗載する支柱２の下端部と一体組み付けする固定用ピン１４を立設した構成で、組立てられた各支柱２は固定用ピン１４によって確固と立脚姿勢が固定維持され、設置個所の傾斜面に対応して調整用螺子ピン１２を上下に螺動させることにより基台７を、ひいては花桶・花篭６の水平姿勢を常に維持させることができる。【選択図】        図２
2018089197.tif 000002
【特許請求の範囲】
【請求項１】
複数本の支柱（４）の上部で、生花や造花を収納する花桶・花篭（６）を保持するフラワースタンド（１）であって、基台（７）の四隅部に調整用螺子ピン（１２）を螺合貫通設すると共に、前記基台（７）の周端部に、基台（７）に乗載する前記支柱（２）の下端部と一体組み付けする固定用ピン（１４）を立設したことを特徴とするフラワースタンド。
【発明の詳細な説明】
【技術分野】
【０００１】
本発明は、冠婚葬祭等の際に生花や造花を祝花・供花として飾る際に用いられるフラワースタンドに関するものである。
【背景技術】
【０００２】
この種のフラワースタンドは、生花や造花を収納する花桶や花篭を複数本の支柱の上部で保持するのが一般的であるが、豪華さを強調するために生花や造花を大きく盛り上げると上部が広がって重量的にも視覚的にもバランスが不安定となり、特に生花は給水スポンジを収納しているので重量が嵩み、或いは更に送り主等を記載したプレートを掲げるとなると、重心が高くなって極めて不安定なものとなる。
【先行技術文献】
【特許文献】
【０００３】
【特許文献１】特開２０００−５００８号公報
【特許文献２】実用新案登録第３０８６６２９号公報
【発明の概要】
【発明が解決しようとする課題】
【０００４】
上記した特許文献１の発明は、折り畳みが可能な支柱の構成を開示しており、図面では不安定さを解消する手段として支柱の下部を外側方に張り出すようにして脚を拡げるように屈曲させ、更には支柱の下端にゴムや合成樹脂製の滑り止め用キャップを被せるような工夫もなされているが、四脚のみの立設であり不安定感は免れない。
【０００５】
また、特許文献２の考案では、移動し易いように各支柱の下端にキャスターを取り付け、一部にストッパーを設ける構成が開示されているが、この構成であっても安定を得られることは困難である。
【０００６】
そして、フラワースタンドは必ずしも平坦面に設置されるとは限らず、例えば傾斜面や段差部分に置かざるを得なくなる状況も考えられ、そのような場合、花桶や花篭が傾いてしまうので不安定なだけでなく、触れたり風に吹かれたりして倒れてしまう危惧が常にある。
【０００７】
よって本発明は、上述した従来技術の欠点、不都合、不満を解消するべく発明されたものであって、フラワースタンドの安定した立脚姿勢を常に維持できるようにすることにある。
【課題を解決するための手段】
【０００８】
上記課題を解決するため、本発明のフラワースタンドは、複数本の支柱の上部で、生花や造花を収納する花桶や花篭を保持するフラワースタンドであって、基台の四隅部に調整用螺子ピンを螺合貫通設すると共に、前記した基台の周端部に、基台に乗載する前記した支柱の下端部と一体組み付けする固定用ピンを立設したことを特徴とする構成である。
【発明の効果】
【０００９】
従って基台に乗載する複数本の支柱は、その下端部で基台の周端部に立設された固定用ピンに一体組み付けされているので、所定の面積を有する基台によって複数本が一体に保持立設されることになり、極めて安定した姿勢となる。
【００１０】
また基台は、その四隅部に調整用螺子ピンが螺合貫通設されているので、スタンドを設置する床面や地面に凹凸、斜面、段差が形成されているような場合、各調整用螺子ピンを螺動させて基台の下方への突出長さを調整し、基台を常に水平な姿勢、ひいては各支柱によって保持されている花桶や花篭を水平に保持することができるのであり、本発明は多くの優れた作用効果を奏する。
【図面の簡単な説明】
【００１１】
【図１】本発明のフラワースタンドの斜視図である。
【図２】要部の断面図である。
【発明を実施するための形態】
【００１２】
複数本の支柱２の上部で、生花や造花を収納する花桶・花篭６を保持する本発明のフラワースタンド１は、基台７の四隅部に調整用螺子ピン１２を螺合貫通設すると共に、前記した基台７の周端部に、前記した支柱２の下端部と一体組み付けする固定用ピン１４を立設した構成である。
【実施例】
【００１３】
支柱２は、金属パイプ、合成樹脂製パイプ、合成樹脂製棒、木製棒等で成形され、その下部は屈曲して脚部２ａとなっており、上端には装飾用キャップ３、下端である脚部２ａ先端にはゴムや合成樹脂製の滑り止め用キャップ４が夫々被せられている。
【００１４】
図示実施例で四本の支柱２は、上部部分及び脚部２ａの上方である下部部分で十文字に交叉する連結桿５によって一体連結されるが、この組立状態で各脚部２ａはその先端が外側方に突出するようにして安定性を図っており、また連結桿５を交叉部分で枢着し、支柱２を二本ずつに重ねて折畳むことができる（図示省略）。
【００１５】
また複数の支柱２は、組み合わせた状態での強度、重量、経済性などに鑑みて、三本なり五本なりと適宜選択し得るものである。
【００１６】
そして組み立てた四本の支柱２で形成される上部空間内に、上部の連結桿５によって下方から支持される形態で花桶・花篭６を収納保持させる。
【００１７】
基台７は、天板８の周縁に周壁９を垂下設した構成であるが、単なる肉厚のプレートであっても良い。図示実施例は金属製を想定したため上記構成としたが、成形コストの経済性、成形の容易性等の観点から合成樹脂製、木製としても良いものである。
【００１８】
基台７の天板８の四隅部には透孔１０が開設され、天板８下面の透孔１０に対応する位置にはナット１１が溶接等により固着されている。そして、天板８の上方より調整用螺子ピン１２を透孔１０を貫通してナット１１に螺合組み付し、調整用螺子ピン１２を螺動によって上下に前進後退動させ、基台７下方への調整用螺子ピン１２下端の突出量を調整するのである。従って、この操作が達成されるのであれば、ナット１１を用いることなく、例えば透孔１０内面に雌ネジを刻設しても良いものである。
【００１９】
また、調整用螺子ピン１２をナット１１に螺合組み付した後にナット１１から突出する調整用螺子ピン１２の下端部に、滑り止めを兼ねた保護キャップ１３を被せる。この保護キャップ１３は、床面の大理石やガラスを傷付けないようにし、或いは地面に触れても劣化しないようにするため、例えばゴムやシリコンのような素材で成形するのが望ましい。
【００２０】
次に基台７の天板８の周端部にあって、前記した組み立てた四本の支柱２を基台７に乗載した際に各支柱２の脚部２ａに対応する部分に固定用ピン１４を立設する。図示実施例でこの固定用ピン１４の立設態様は前記した調整用螺子ピン１２の態様と同様であり、基台７の天板８の適宜位置に透孔１０を開設し、天板８下面の透孔１０に対応する位置にナット１１を固着し、固定用ピン１４を透孔１０を貫通してナット１１に螺合組み付するものであり、透孔１０内面に雌ネジを刻設しても良い。但し、固定用ピン１４には前記した調整用螺子ピン１２の如く上下動させる機能は必要とせず、支柱２の下部を固定保持させることができれば良いものであるから、螺子構造を用いず、単に桿棒として立設固定するだけであっても良い。
【００２１】
そして、各支柱２の脚部２ａと各固定用ピン１４とを夫々結束バンド１５で締結し、基台７上に四本の支柱２の組み立て物を乗載一体組み付け固定するのである。
【００２２】
図２は傾斜面となった床面にフラワースタンド１を設置した場合を示すもので、傾斜に対応して調整用螺子ピン１２を上下に前進後退動させて調整し、基台７の水平姿勢を図っている。
【００２３】
尚、フラワースタンド１の重量バランスを更に確保するため、基台７上に錘１６を載置することも考えられる。また、不使用の保管時、運搬時などの際は分解して嵩張らないようにしておく必要があり、各支柱２から結束バンド１５を解いて基台７と分離できるようにしたり、前述のように各支柱２を折り畳むことができるようにしたり、更には複数枚の基台７を重ねて保管できるようにするため、調整用螺子ピン１２や固定用ピン１４を基台７から外せるようにすることも配慮されている。
【００２４】
また、前述したように上位に花桶・花篭６を設けたためのフラワースタンド１の重量バランスの維持のために、基台７上に錘１６を載置するだけでなく、基台７自体を重くすることもあり、この場合、分解した基台７を持ち運び易くするために、天板８の一部に取っ手孔１７を開設する。更にはフラワースタンド１の設置床面が水平面であれば調整用螺子ピン１２は不要であるのであるが、基台７の設置床面を傷付けたりしないように、接地面である周壁９下面に養生ラバー１８を貼付するとよい。
【符号の説明】
【００２５】
１  フラワースタンド
２  支柱
２ａ  脚部
３  装飾用キャップ
４  滑り止め用キャップ
５  連結桿
６  花桶・花篭
７  基台
８  天板
９  周壁
１０  透孔
１１  ナット
１２  調整用螺子ピン
１３  保護キャップ
１４  固定用ピン
１５  結束バンド
１６  錘
１７  取っ手孔
１８  養生ラバー
【図１】
2018089197.tif 000003
【図２】
2018089197.tif 000004